(57)【要約】【課題】落射蛍光観察と透過照明観察の切り替えの際に、シャッタの開閉等を行うことなく、ノイズのない落射蛍光観察を可能とする顕微鏡を提供する。【解決手段】本発明の正立顕微鏡１は、所定の波長の励起光を照射することにより観察対象から蛍光を発光させる蛍光照明用光源３ａを有する落射照明光学系３と、発光素子と蛍光体とを有する白色ＬＥＤを透過照明用光源４ａとする透過照明光学系４と、を備え、透過照明光学系４は、クロミックコーティング膜が形成されたコレクタレンズ５を有することを特徴とする。【選択図】図１
2017090852.tif 000002
【特許請求の範囲】
【請求項１】
所定の波長の励起光を照射することにより観察対象から蛍光を発光させる蛍光照明用光源を有する落射照明光学系と、
発光素子と蛍光体とを有する白色ＬＥＤを透過照明用光源とする透過照明光学系と、
を備え、前記透過照明光学系は、クロミックコーティング膜が形成された光学素子を有することを特徴とする顕微鏡。
【請求項２】
前記クロミックコーティング膜は、前記落射照明光学系から照射された励起光により着色することを特徴とする請求項１に記載の顕微鏡。
【請求項３】
前記落射照明光学系は紫外光を含む励起光を照射する蛍光落射光源を有し、
前記クロミックコーティング膜は前記紫外光の照射により着色することを特徴とする請求項１または２に記載の顕微鏡。
【請求項４】
前記クロミックコーティング膜は、黒に変色することを特徴とする請求項１〜３のいずれか一つに記載の顕微鏡。
【請求項５】
前記クロミックコーティング膜のクロミック材料は、ナフトピラン系化合物であることを特徴とする請求項１〜４のいずれか一つに記載の顕微鏡。
【発明の詳細な説明】
【技術分野】
【０００１】
本発明は、蛍光観察が可能な落射照明光学系と、白色ＬＥＤを光源とする透過照明光学系とを備える顕微鏡に関する。
【背景技術】
【０００２】
従来、種々の観察法、および観察標本に応じて落射照明光学系と、透過照明光学系とを切り替えて観察することが可能な顕微鏡が使用されている。
【０００３】
近年、ハロゲンランプに代えて白色ＬＥＤ（Ｌｉｇｈｔ  Ｅｍｉｔｔｉｎｇ  Ｄｉｏｄｅ）を透過照明光学系の光源として使用する顕微鏡が増えている。青色等のＬＥＤ素子と該ＬＥＤ素子が照射する励起光により蛍光を発する蛍光体から構成される白色ＬＥＤが透過照明光学系の光源として使用され、落射照明光学系で蛍光観察を行う場合、蛍光落射照明から標本に照射された励起光は、一部が標本を透過して透過照明光学系の光源である白色ＬＥＤに入射して、蛍光体を励起し蛍光発光する。したがって、落射蛍光観察の際、透過照明の蛍光体が発光した蛍光が加わることとなり、ノイズとして検出されてしまうという問題を有していた。
【０００４】
この問題に対し、透過照明が消灯されると、透過照明光学系への落射照明光学系からの光の入射を制限する入射制限手段を有し、透過照明が点灯されると、光の入射制限が解除される顕微鏡（例えば、特許文献１参照）や、白色ＬＥＤのスペクトルの感度が最大となる波長の透過を最小とするスペクトル透過プロファイルを有する補正フィルタを透過照明光学系内に挿脱可能な顕微鏡（例えば、特許文献２参照）が提案されている。
【先行技術文献】
【特許文献】
【０００５】
【特許文献１】特開２０１３−１４２８２９号公報
【特許文献２】特開２０１３−２９８３６号公報
【発明の概要】
【発明が解決しようとする課題】
【０００６】
しかしながら、上述した特許文献１および２の顕微鏡では、落射照明光学系による蛍光観察と、透過照明光学系による観察の切り替えの際、シャッタの開閉や補正フィルタの挿脱を行う必要があり、操作を自動で行う場合には装置が複雑となり、手動で行う場合には操作ミスが生じるおそれがある。
【０００７】
本発明は、上記に鑑みてなされたものであって、落射蛍光観察と透過照明観察の切り替えの際に、シャッタの開閉や補正フィルタの挿脱を行うことなく、ノイズのない落射蛍光観察を可能とする顕微鏡を提供することを目的とする。
【課題を解決するための手段】
【０００８】
上述した課題を解決し、目的を達成するために、本発明にかかる顕微鏡は、所定の波長の励起光を照射することにより観察対象から蛍光を発光させる蛍光照明用光源を有する落射照明光学系と、発光素子と蛍光体とを有する白色ＬＥＤを透過照明用光源とする透過照明光学系と、を備え、前記透過照明光学系は、クロミックコーティング膜が形成された光学素子を有することを特徴とする。
【０００９】
また、本発明にかかる顕微鏡は、上記発明において、前記クロミックコーティング膜は、前記落射照明光学系から照射された励起光により着色することを特徴とする。
【００１０】
また、本発明にかかる顕微鏡は、上記発明において、前記落射照明光学系は紫外光を含む励起光を照射する蛍光落射光源を有し、前記クロミックコーティング膜は前記紫外光により着色することを特徴とする。
【００１１】
また、本発明にかかる顕微鏡は、上記発明において、前記クロミックコーティング膜は、黒色に変色することを特徴とする。
【００１２】
また、本発明にかかる顕微鏡は、上記発明において、前記クロミックコーティング膜のクロミック色素は、ナフトピラン系化合物であることを特徴とする。
【発明の効果】
【００１３】
本発明によれば、落射蛍光観察を行う際に、シャッタの開閉等を行うことなく、蛍光落射照明から透過照明光学系への励起光の入射を遮断でき、ノイズのない落射蛍光観察を行うことが可能となる。
【図面の簡単な説明】
【００１４】
【図１】図１は、本発明の実施の形態１にかかる正立顕微鏡の全体構成を示す模式図である。
【図２】図２は、青色ＬＥＤを使用した白色ＬＥＤを説明するための図である。
【図３】図３は、青色ＬＥＤを使用した白色ＬＥＤの発光スペクトルを説明する図である。
【図４】図４は、クロミックコーティング膜が形成されたコレクタレンズの断面図である。
【図５】図５は、従来の正立顕微鏡での落射蛍光観察の際の光路を説明する図である。
【図６Ａ】図６Ａは、図１の正立顕微鏡での落射蛍光観察の際の光路を説明する図である。
【図６Ｂ】図６Ｂは、本発明の実施の形態１の変形例にかかる正立顕微鏡の落射蛍光観察の際の光路を説明する図である。
【図７】図７は、本発明の実施の形態２にかかる倒立顕微鏡の全体構成を示す模式図である。
【図８】図８は、従来の倒立顕微鏡での落射蛍光観察の際の光路を説明する図である。
【図９】図９は、図７の倒立顕微鏡での落射蛍光観察の際の光路を説明する図である。
【発明を実施するための形態】
【００１５】
以下、図面を参照し、本発明の好適な実施の形態（以下「実施の形態」という）について詳細に説明する。なお、この実施の形態によって本発明が限定されるものではない。また、図面の記載において、同一部分には同一の符号を付して示している。
【００１６】
（実施の形態１）
図１は、本発明の実施の形態１にかかる正立顕微鏡の全体構成を示す模式図である。本発明の実施の形態１にかかる正立顕微鏡１は、顕微鏡本体２と、落射照明光学系３と、透過照明光学系４と、を備える。
【００１７】
顕微鏡本体２は、ベース部２ａと、ベース部２ａの背面側に立設する柱部２ｂと、柱部２ｂに支持されて正面側に向かって延在するアーム部２ｃとを有する。ベース部２ａは、机上等の正立顕微鏡１が設置される場所に直接載置される部分であり、内部に透過照明光学系４が配置されている。また、ベース部２ａは、ステージ保持部９ａを介してステージ９を保持する。柱部２ｂは、ベース部２ａの背面側（奥側）に立設され、下端部でベース部２ａと一体化されている。アーム部２ｃは、柱部２ｂの上端から正立顕微鏡１の正面側に向かって延在し、下側にレボルバ８が取り付けられるとともに、内部に落射照明光学系３が配置されている。なお、本明細書において、正立顕微鏡１の正面側は観察者が位置する側であり、背面側は正面側に対向する側を意味する。
【００１８】
レボルバ８は、アーム部２ｃに対して回転自在に保持され、対物レンズ７を標本Ｓの上方に配置する。対物レンズ７は、レボルバ８に対して倍率（観察倍率）の異なる他の対物レンズ７とともに交換自在に装着されており、レボルバ８の回転に応じて観察光路Ｎ１上に挿入されて標本Ｓの観察に用いる対物レンズが択一的に切り換えられるようになっている。
【００１９】
落射照明光学系３は、落射観察を行うための光学要素である。落射照明光学系３は、蛍光照明用光源３ａからステージ９に載置された標本Ｓの上面に至るまでの間に、照明用レンズ１２、フィルタユニット６を配設することによって落射照明光路Ｎ２を構成している。蛍光照明用光源３ａ、照明用レンズ１２は、顕微鏡本体２のアーム部２ｃに配設してあり、フィルタユニット６は、図示しないターレットを介してアーム部２ｃに支持させてある。フィルタユニット６は、励起フィルタ６ａ、ダイクロイックミラー６ｂ、バリアフィルタ６ｃを備えて構成したもので、標本Ｓに染色された蛍光色素に対応したものがターレットに複数用意してあり、ターレットを所定の軸心回りに回転させることによって最適なものを択一的に落射照明光路Ｎ２（観察光路Ｎ１）に挿入することが可能である。蛍光照明用光源３ａは、超高圧水銀灯、キセノンランプ、紫外線ＬＥＤ等を使用することができる。なお、正立顕微鏡１は、少なくとも１つのフィルタユニット６を備え、蛍光観察が可能であればよく、ターレットは、蛍光観察以外の観察ユニット、例えば、明視野観察、暗視野観察、偏光観察用のユニットが配置されていてもよい。
【００２０】
蛍光照明用光源３ａから出射した照明光は、照明用レンズ１２を透過し、励起フィルタ６ａにより標本Ｓに染色された蛍光色素に必要な励起波長のみが透過される。透過された照明光は、ダイクロイックミラー６ｂにより対物レンズ７に向けて反射され、対物レンズ７を透過した後に標本Ｓに照射される。照明光が照射された標本Ｓからは、標本Ｓに染色された蛍光色素が励起されて蛍光が発せられる。この蛍光は、対物レンズ７、ダイクロイックミラー６ｂを透過し、バリアフィルタ６ｃにより観察に必要な蛍光波長のみが透過され、さらに後述する結像レンズ１４ａ、プリズム１４ｂを通過して結像され、接眼レンズ１１により目視観察できるようになる。
【００２１】
透過照明光学系４は、透過観察を行うための光学要素である。透過照明用光源４ａからステージ９に載置された標本Ｓの下面に至るまでの間に、コレクタレンズ１３ａ、ミラー１３ｂ、およびコレクタレンズ５を順次配設することによって透過照明光路Ｎ３を構成している。透過照明用光源４ａから出射された透過観察用の照明光は、コレクタレンズ１３ａ、ミラー１３ｂ、およびコレクタレンズ５を順次通過し、標本Ｓに照射されて透過することになる。標本Ｓを透過した光は、対物レンズ７、ダイクロイックミラー６ｂを透過し、さらに後述する結像レンズ１４ａ、プリズム１４ｂを通過して結像され、接眼レンズ１１により観察できるようになる。
【００２２】
透過照明用光源４ａは、発光素子と蛍光体とを有する白色ＬＥＤであり、青色ＬＥＤと黄色蛍光体からなるもの、青色ＬＥＤと赤色および緑色蛍光体からなるもの等、が例示される。図２は、青色ＬＥＤを使用した白色ＬＥＤを説明するための図である。図３は、青色ＬＥＤを使用した白色ＬＥＤの発光スペクトルを説明する図である。図２に示すように、青色ＬＥＤ４ｂを使用する白色ＬＥＤ４ａは、青色ＬＥＤ４ｂが黄色蛍光体に封止されている。青色ＬＥＤ４ｂが青色励起光（図４の４６５ｎｍにピークを有する励起光）を発光すると、この青色励起光によって黄色蛍光体４ｃが黄色蛍光（図４の５６０ｎｍにピークを有する蛍光）を発光し、青色励起光と黄色蛍光との混合により白色光を照射する。
【００２３】
鏡筒１０は、標本Ｓの標本像を結像する結像レンズ１４ａ、観察光の光路を切り換えて接眼レンズ１１へと導くプリズム１４ｂを内設している。結像レンズ１４ａにより結像された標本Ｓの標本像は、プリズム１４ｂによって接眼レンズ１１内に導入され、接眼レンズ１１を介して観察者に目視観察される。
【００２４】
次にクロミックコーティング膜を有するコレクタレンズ５について説明する。図４は、クロミックコーティング膜が形成されたコレクタレンズ５の断面図である。コレクタレンズ５は、両面凸状のレンズ基材５ｂの片面にクロミックコーティング膜５ａが形成されている。コレクタレンズ５は、クロミックコーティング膜５ａが形成された面を標本Ｓ側に配置する。なお、レンズ基材５ｂとクロミックコーティング膜５ａとの間に密着性を向上するプライマリー層を設けてもよく、強度向上の観点からクロミックコーティング膜５ａ上にハードコート層を設けてもよい。クロミックコーティング膜５ａは、レンズ基材５ｂの両面に設けてもよい。
【００２５】
図５は、従来の正立顕微鏡での落射蛍光観察の際の光路を説明する図である。なお、図５においては、光学素子を一部省略して示している。蛍光照明用光源３ａから照射された励起光Ｌ１は、励起フィルタ６ａにより所望の波長の励起光Ｌ２のみ透過され、励起光Ｌ２はダイクロイックミラー６ｂで反射されて対物レンズ７を介して標本Ｓに照射される。標本Ｓに照射された励起光Ｌ２は、標本Ｓに染色された蛍光を励起して蛍光Ｌ３として観察光路方向に反射される。また、標本Ｓを透過した励起光Ｌ２は、透過照明光路に侵入して、透過照明用光源４ａの黄色蛍光体４ｃを励起することにより、黄色蛍光Ｌ４を発光し、黄色蛍光Ｌ４は、標本Ｓから発光された蛍光Ｌ３とともに観察されるため、蛍光Ｌ３のノイズとなる。
【００２６】
本実施の形態１にかかる正立顕微鏡１では、クロミックコーティング膜５ａを有するコレクタレンズ５により、励起光Ｌ２の侵入を遮断する。図６Ａは、図１の正立顕微鏡での落射蛍光観察の際の光路を説明する図である。
【００２７】
正立顕微鏡１において、蛍光照明用光源３ａから照射された励起光Ｌ１は、励起フィルタ６ａにより所望の波長の励起光Ｌ２のみ透過され、励起光Ｌ２はダイクロイックミラー６ｂで反射されて対物レンズ７を介して標本Ｓに照射される。標本Ｓに照射された励起光Ｌ２は、標本Ｓに染色された蛍光色素を励起して蛍光Ｌ３として観察光路方向に反射される。また、標本Ｓを透過した励起光Ｌ２により、コレクタレンズ５のクロミックコーティング膜５ａは例えば黒く着色する。着色したクロミックコーティング膜５ａは、励起光Ｌ２を吸収するため、励起光Ｌ２はコレクタレンズ５を透過せず、励起光Ｌ２による透過照明用光源４ａの蛍光体の励起は生じない。
【００２８】
あるいは、クロミックコーティング膜５ａを有するコレクタレンズ５は、変色により励起光Ｌ５のみ透過する。図６Ｂは、本発明の実施の形態１の変形例にかかる正立顕微鏡の落射蛍光観察の際の光路を説明する図である。
【００２９】
図６Ｂに示す変形例では、標本Ｓを透過した励起光Ｌ２の一部は、コレクタレンズ５のクロミックコーティング膜５ａは例えば青く着色する。コレクタレンズ５を透過した励起光Ｌ２は透過照明用光源４ａの黄色蛍光体４ｃを励起し、黄色蛍光Ｌ４を発光する。透過照明用光源４ａの黄色蛍光体ｃから発光された黄色蛍光Ｌ４は、クロミックコーティング膜５ａの青色着色によりコレクタレンズ５に吸収されるため、観察光路に侵入しない。
【００３０】
クロミックコーティング膜５ａは、光、熱、電気等によって着色するものであってよいが、余分な装置の設置をなくすために、蛍光落射光源３ａから照射される励起光であって、励起フィルタ６ａにより透過された光によって着色するフォトクロミックコーティング膜であることが好ましい。また、クロミックコーティング膜５ａは、励起光Ｌ２により黒色に着色して、励起光Ｌ２を透過しないことが好ましいが、黄色蛍光Ｌ４の補色である青色に着色し、黄色蛍光Ｌ４を透過しないものであってもよい。なお、励起光Ｌ２は、紫外光を含む励起光であることが好ましい。
【００３１】
クロミックコーティング膜５ａは、レンズ基材５ｂ上に、クロミック材料を溶解した樹脂成分を塗布し、樹脂成分を硬化することにより形成することができる。クロミック材料としては、フルギミド系化合物、スピロオキサジン系化合物、クロメン系化合物、ナフトピラン系化合物、スピロピラン系化合物、スピロペリミジン系化合物、ジアリールエテン系化合物、ヘキサアリールビスイミダゾール系化合物等が例示される。クロミック材料は、１つの材料で黒色に変化するものが好適に使用されるが、複数の材料の混合により黒色を呈するものであってもよい。
【００３２】
本実施の形態１にかかる正立顕微鏡１では、透過照明光学系４に、クロミックコーティング膜５ａを有するコレクタレンズ５を配置することにより、蛍光照明用光源３ａからの透過照明光学系４への光の入射を遮断する遮断装置等を設けることなく、透過照明光学系４への励起光の入射を遮断でき、ノイズのない落射蛍光観察を行うことが可能となる。
【００３３】
本実施の形態１では、コレクタレンズ５にクロミックコーティング膜５ａを成膜したが、透過照明光学系４の他のレンズ、例えば、コレクタレンズ１３ａやコンデンサ等にクロミックコーティング膜５ａを設けてもよい。
【００３４】
（実施の形態２）
図７は、本発明の実施の形態２にかかる倒立顕微鏡の全体構成を示す模式図である。倒立顕微鏡１Ａは、図７に示すように、観察対象である標本Ｓを下方から観察する顕微鏡であって、顕微鏡本体２Ａと、落射照明光学系３Ａと、透過照明光学系４Ａと、を備える。
【００３５】
ステージ９Ａのほぼ中央には、標本Ｓが落下しない程度の開口（透孔）が設けられ、照明光および観察光が通過する。
【００３６】
顕微鏡本体２Ａの上部には、柱部１８が設けられ、柱部１８は、透過照明光学系４Ａおよびコレクタレンズ保持部１７を支持している。
【００３７】
落射照明光学系３Ａの蛍光照明用光源３ａから出射された照明光は、励起フィルタ６ａにより所定の励起波長のみが透過され、透過された照明光は、ダイクロイックミラー６ｂにより対物レンズ７に向けて反射され、対物レンズ７を透過した後に標本Ｓに照射される。照明光が照射された標本Ｓからは、標本Ｓに染色された蛍光色素が励起されて蛍光が発せられる。この蛍光は、対物レンズ７、ダイクロイックミラー６ｂを透過し、バリアフィルタ６ｃにより観察に必要な蛍光波長のみが透過され、結像レンズ１６ａおよび１６ｆ、ミラー１６ｂ、１６ｃ、および１６ｅ、リレーレンズ１６ｄを介して、接眼レンズ１１により目視観察される。
【００３８】
透過照明光学系４Ａの透過照明用光源４ａから出射された照明光は、ミラー１５ａ、コレクタレンズ１５ｂにより、標本Ｓに照射されて透過する。標本Ｓを透過した光は、対物レンズ７、ダイクロイックミラー６ｂを透過し、結像レンズ１６ａおよび１６ｆ、ミラー１６ｂ、１６ｃ、および１６ｅ、リレーレンズ１６ｄを介して、接眼レンズ１１により目視観察される。
【００３９】
実施の形態２にかかる倒立顕微鏡１Ａでは、コレクタレンズ１５ｂにクロミックコーティング膜が製膜される。コレクタレンズ１５ｂは、両面凸状のレンズ基材の片面にクロミックコーティング膜が成膜され、クロミックコーティング膜が形成された面は標本Ｓ側と反対側に配置する。コレクタレンズ１５ｂに形成するクロミックコーティング膜は、実施の形態１と同様のものを使用することができる。
【００４０】
図８は、従来の倒立顕微鏡での落射蛍光観察の際の光路を説明する図である。なお、図８においては、発明の理解のために、光学素子を一部省略して示している。蛍光照明用光源３ａから照射された励起光Ｌ１は、励起フィルタ６ａにより所望の波長の励起光Ｌ２のみ透過され、励起光Ｌ２はダイクロイックミラー６ｂで反射されて対物レンズ７を介して標本Ｓに照射される。標本Ｓに照射された励起光Ｌ２は、標本Ｓに染色された蛍光色素を励起して蛍光Ｌ３として観察光路方向に反射される。また、標本Ｓを透過した励起光Ｌ２は、透過照明光路に侵入して、透過照明用光源４ａの黄色蛍光体４ｃを励起することにより、黄色蛍光Ｌ４を発光し、黄色蛍光Ｌ４は、標本Ｓから発光された蛍光Ｌ３とともに観察されるため、蛍光Ｌ３のノイズとなる。
【００４１】
本実施の形態２にかかる倒立顕微鏡１Ａでは、クロミックコーティング膜を製膜したコレクタレンズ１５ｂにより、励起光Ｌ２の侵入を遮断する。図９は、図７の倒立顕微鏡での落射蛍光観察の際の光路を説明する図である。
【００４２】
倒立顕微鏡１Ａにおいて、蛍光照明用光源３ａから照射された励起光Ｌ１は、励起フィルタ６ａにより所望の波長の励起光Ｌ２のみ透過され、励起光Ｌ２はダイクロイックミラー６ｂで反射されて対物レンズ７を介して標本Ｓに照射される。標本Ｓに照射された励起光Ｌ２は、標本Ｓに染色された蛍光色素を励起して蛍光Ｌ３として観察光路方向に反射される。また、標本Ｓを透過した励起光Ｌ２により、コレクタレンズ１５ｂのクロミックコーティング膜はたとえば黒色に着色する。着色したクロミックコーティング膜は、励起光Ｌ２を吸収するため、励起光Ｌ２はコレクタレンズ１５ｂを透過せず、励起光Ｌ２による透過照明用光源４ａの蛍光体の励起は生じない。
【００４３】
また、コレクタレンズ１５ｂは、実施の形態１の変形例と同様に、クロミックコーティング膜は青色に着色し、コレクタレンズ１５ｂを透過した励起光により透過照明用光源４ａの黄色蛍光体４ｃが励起され、黄色蛍光を発光するが、発光された黄色蛍光をクロミックコーティング膜の変色により吸収するものであってもよい。
【００４４】
本実施の形態２にかかる倒立顕微鏡１Ａでは、透過照明光学系４Ａに、クロミックコーティング膜を成膜したコレクタレンズ１５ｂを配置することにより、蛍光照明用光源３ａからの透過照明光学系４への光の入射を遮断する遮断装置等を設けることなく、透過照明光学系４Ａへの励起光の入射を遮断でき、ノイズのない落射蛍光観察を行うことが可能となる。
【符号の説明】
【００４５】
１                正立顕微鏡
１Ａ              倒立顕微鏡
２、２Ａ          顕微鏡本体
２ａ              ベース部
２ｂ、１８        柱部
２ｃ              アーム部
３、３Ａ          落射照明光学系
３ａ              蛍光照明用光源
４、４Ａ          透過照明光学系
４ａ              透過照明用光源
４ｂ  青色ＬＥＤ
４ｃ  黄色蛍光体
５、１３ａ、１５ｂ  コレクタレンズ
５ａ              クロミックコーティング膜
５ｂ              レンズ基材
６                フィルタユニット
６ａ              励起フィルタ
６ｂ              ダイクロイックミラー
６ｃ              バリアフィルタ
７                対物レンズ
８                レボルバ
９、９Ａ          ステージ
９ａ              ステージ保持部
１０              鏡筒
１１              接眼レンズ
１２              照明用レンズ
１３ｂ、１５ａ、１６ｂ、１６ｃ、１６ｅ  ミラー
１４ａ、１６ａ、１６ｆ  結像レンズ
１４ｂ            プリズム
１６ｄ            リレーレンズ
１７              コレクタレンズ保持部
Ｓ                標本
【図１】
2017090852.tif 000003
【図２】
2017090852.tif 000004
【図３】
2017090852.tif 000005
【図４】
2017090852.tif 000006
【図５】
2017090852.tif 000007
【図６Ａ】
2017090852.tif 000008
【図６Ｂ】
2017090852.tif 000009
【図７】
2017090852.tif 000010
【図８】
2017090852.tif 000011
【図９】
2017090852.tif 000012